(57)【要約】      （修正有）【課題】日付などの時や地名などの場所の情報を文字画像として被写体に対して正常な方向で、クリアーにプリントするコンパクトなカメラ機器用の傾斜センサーとそれを備えたカメラを提供すること。【解決手段】本発明の傾斜センサーは、導体部として導電平面板２２と可動導電体の導電球２５とを有し、導電平面板２２は第一電圧部２３を備え、導電球２５は抵抗体２４を介して配置した第二電圧部２１と、出力部２６とを有し、第一電圧部２３と第二電圧部２１には異なる一定電圧が印加され、可動導電体の導電球２５の位置によって、出力部２６から出力される電圧値が可変することを特徴とする傾斜センサーとそれを備えたカメラ。【選択図】図２
2007115648.tif 000002
【特許請求の範囲】
【請求項１】
導体部と可動導電体とを有し、前記導体部は第一電圧部を備え、前記可動導電体は抵抗体を介して配置した第二電圧部と、出力部とを有し、前記第一電圧部と前記第二電圧部には異なる一定電圧が印加され、前記可動導電体の位置によって、前記出力部から出力される電圧値が可変することを特徴とする傾斜センサー。
【請求項２】
前記導体部は板状であり、該板状の中心部に穴部を有し、前記第二電圧部と出力部は、前記穴部を通って、前記導体部を挟んで前記可動導電体とは反対側に位置することを特徴とする請求項１に記載の傾斜センサー。
【請求項３】
前記導体部は円筒状であり、該円筒状の内壁に接するように前記可動導電体が設けられ、前記導体部と前記可動導電体とが接する位置によって、前記出力部から出力される電圧値が可変することを特徴とする請求項１に記載の傾斜センサー。
【請求項４】
前記導体部は間隙を設けて配置される二つの板状部材であり、前記第二電圧部と出力部は該二つの板状部材の間隙部を通って、前記導体部を挟んで前記可動導電体とは反対側に位置することを特徴とする請求項１に記載の傾斜センサー。
【請求項５】
前記導体部と前記第１電圧部との間には、前記可動導電体と接続された前記抵抗体とは別体のもう一つの抵抗体を設けることを特徴とする請求項１に記載の傾斜センサー。
【請求項６】
前記可動導電体の位置によって、前記可動導電体と前記導体部との接触または非接触が生じ、前記出力部から出力される電圧値が可変することを特徴とする請求項１に記載の傾斜センサー。
【請求項７】
前記可動導電体は振り子状であることを特徴とする請求項１に記載の傾斜センサー。
【請求項８】
前記第一電圧部に印加される電圧値は第一電圧であり、前記第二電圧部に印加される電圧値は第二電圧であり、前記出力部から出力される電圧値は、前記第一電圧、または前記第二電圧、または前記第一電圧と前記第二電圧との間のいずれかの電圧値であることを特徴とする請求項１に記載の傾斜センサー。
【請求項９】
前記抵抗体に流れる電流が１ｍＡ以下であることを特徴とする請求項１に記載の傾斜センサー。
【請求項１０】
請求項１に記載の傾斜センサーを用いたカメラ。
【発明の詳細な説明】
【技術分野】
【０００１】
本発明は、重力によって傾斜度合いを測定することが出来る傾斜センサーに係わるものであり、例えばその傾斜センサーを用いたカメラに関するものである。特に撮ったその場で現像プリントされるインスタントカメラや、日付などの時や地名などの場所の情報を文字画像として写真画像に付加する写真システムに関わるものである。
【背景技術】
【０００２】
従来、撮影時の日付や時刻をプリントするカメラは市場にリリースされているが、日付や時間などの文字をプリントする露光部が固定されているため、カメラの撮影方向によっては、人、建物、風景などの被写体に対して文字が９０度異なる位置にプリントされ不自然な画像となったり、文字がはっきり見えなかったりなどの欠点があった。
【０００３】
一方、特開平７−１３２５４号公報には、文字露光部をカメラの上下、左右の４種の方向に配置させ、前記４方向の文字露光部をカメラの撮影時に、カメラの傾 斜方向によって１方向の文字露光部のみを選択書き込みをし、被写体に対して文字が正常な方向でプリントされる日付撮影機能付きカメラの技術が開示されている。
【特許文献１】特開平７−１３２５４号公報（第２頁、第２図）
【発明の開示】
【発明が解決しようとする課題】
【０００４】
しかしながら、文字露光部をカメラの上下、左右の４種の方向に配置させ、前記４方向の文字露光部をカメラの撮影時に、カメラの傾斜方向によって１方向の文 字露光部のみを選択書き込みをする特開平７−１３２５４号公報の方法は、４種の文字露光部があるためカメラを大型化してしまう。また、４種の文字露光部のうちどの露光部で選択露光するかを決めるカメラの傾斜方位の検出信号回路も４個のインバータを使い、煩雑である。
【０００５】
また、写真画像に写し込まれた文字も、写真背景との関係などからくっきりと見えない場合が多い。そこで、本発明の目的は、日付などの時や地名などの場所の情報を文字画像として被写体に対して正常な方向で、くっきりと付加プリントするコンパクトなカメラ機器を提供することにある。そして、このようなコンパクトなカメラの実現を可能にするため、簡易な構成の傾斜センサーを提供することにある。
【課題を解決するための手段】
【０００６】
本発明の傾斜センサーは、導体部と可動導電体とを有し、導体部は第一電圧部を備え、可動導電体は抵抗体を介して配置した第二電圧部と、出力部とを有し、第一電圧部と第二電圧部には異なる一定電圧が印加され、可動導電体の位置によって、出力部から出力される電圧値が可変することを特徴とする。
【０００７】
また、導体部は板状であり、板状の中心部に穴部を有し、第二電圧部と出力部は、穴部を通って、導体部を挟んで可動導電体とは反対側に位置することを特徴とする。あるいは、導体部は円筒状であり、円筒状の内壁に接するように可動導電体が設けられ、導体部と可動導電体とが接する位置によって、出力部から出力される電圧値が可変することを特徴とする。あるいは、導体部は間隙を設けて配置される二つの板状部材であり、第二電圧部と出力部はこれら二つの板状部材の間隙部を通って、導体部を挟んで可動導電体とは反対側に位置することを特徴とする。
【０００８】
さらに、導体部と前記第１電圧部との間には、可動導電体と接続された抵抗体とは別体
のもう一つの抵抗体を設けることを特徴とする。また、可動導電体の位置によって、可動導電体と導体部との接触または非接触が生じ、出力部から出力される電圧値が可変することを特徴とする。また、可動導電体は振り子状であることを特徴とする。
【０００９】
また、第一電圧部に印加される電圧値は第一電圧であり、第二電圧部に印加される電圧値は第二電圧であり、出力部から出力される電圧値は、第一電圧、または第二電圧、または第一電圧と第二電圧との間のいずれかの電圧値であることを特徴とする。また、抵抗体に流れる電流が１ｍＡ以下であることを特徴とする。
【００１０】
また、本発明のカメラはこの傾斜センサーを用いたものであることを特徴とする。
【発明の効果】
【００１１】
上記記載の本発明の傾斜センサーは出力部が１ヶ所のみであり、そこから傾斜の度合いに 応じて異なる電圧が出ることを特徴としており、構成がいたって簡素である。よって、傾斜センサー自体の小型化、低コスト化が可能である。この傾斜センサーをカメラ機器に採用することによって、カメラ機器自体の小型化が可能となり、さらにカメラの縦、横方向のいずれの撮影においても、日付などの文字が被写体に対して正常な方向に、くっきりとプリントすることができる。
【発明を実施するための最良の形態】
【００１２】
以下に本発明の形態を詳述する。
【実施例】
【００１３】
本発明の傾斜センサーとそれを用いたカメラの機能について図１に基づいて説明する。本発明を用いたカメラはプリント機能を備えたインスタントカメラ１１で、縦方向プリントの場合は縦長のファインダー１３の中に見える被写体に向けてシャッターボタン１２を押すとインスタント画像１４が、重力方向の向きに縦方向プリントされる。このインスタント画像１４は、被写体に対して、日付文字「２００５．７．１」がインスタント画像１４の短辺に対して、平行方向に付加しプリントされ、被写体と文字の関係が違和感のない写真画像プリントとなる。
【００１４】
一方、インスタントカメラ１１を、重力方向に対して９０度傾けて、シャッターボタンを押す横方向プリントの場合は、インスタント画像１５は重力方向に対して垂直方向の向きに横方向プリントされ、日付文字と場所文字「２００５．７．１    Ｔｏｋｙｏ」がインスタント画像１５の長辺に対して、平行な向きに付加プリントされ、やはり、被写体と文字の関係が違和感のない写真画像プリントとなる。
【００１５】
図６は、本発明のインスタントカメラの構成を示す模式図である。カメラの本体には、
６４０×４８０画素を有するシチズンミヨタ社製のＣＭＯＳカラーイメージセンサーを用いたＶＧＡカメラモジュール６１が備えられ、２次元の画像信号を展開し、１次元ずつのＲＧＢデータ信号に変換する回路基板（図示せず）に電気的接続がなされている。また、本体の内部には、インスタントカメラの向きを重力方向領域と重力方向に対して垂直方向となる垂直方向領域に区分検知する傾斜センサー６４を備え、電気的に前述の回路基板に接続され、画像上に配置する文字位置と方向を定める。
【００１６】
図６に図示するように、露光ヘッド６２が１次元ずつのＲＧＢ信号によって、１ラインずつＲＧＢの光を順次連続して照射し、画像を形成する。１０枚のインスタントフィルムが充填されたフィルムパック６３からメカ機構（図示せず）により定速で１枚ずつ排出移動するインスタントフィルム７１に２次元のフルカラー画像を、被写体に対して文字が正常に読める状態でプリントすることができる。
【００１７】
図７は前述の露光ヘッドの内部構成を示した模式図であり、露光ヘッドはＲＧＢのＬＥＤチップ点光源からの光をライン光に変換するアクリルロッド７２と、各ＲＧＢ光の順次点灯に同期してミリ秒単位で光の透過、非透過を高速選択するＳＴＮ（スーパーツイステッドネマチック）型の液晶シャッターアレイ７３と、液晶シャッターアレイの各画素から透過した光をインスタントフィルム７１に結像させるためのレンズアレイ７４とで構成され、ＶＧＡの文字付きフルカラー写真画像を６秒でプリントできた。また、フィルム移送時間や信号処理時間等も含め、シャッタを押してからインスタント画像が排出されるまでの時間も１２秒程であった。
【００１８】
図５は、本発明に関わる写真システムをインスタントカメラに用いた場合のフローチャート図である。シャッターボタンを押して、撮像素子によりカメラ撮影すると、「被写体画像データ」をデジタルデータとして被写体画像データ記憶手段５１に記憶する。傾斜センサーにより得られた「カメラ傾斜方向データ」もカメラ傾斜方向データ記憶手段５２に記憶する。日付や場所などの「文字データ」はカメラ機器内の文字データ記憶手段５３で別途記憶されており、この記憶された「カメラ傾斜方向データ」に基づいて、「文字データ」を書き換え手段５４により記憶されている「被写体画像データ」の一部の書き加えを行い、新たに「被写体画像合成データ」を作成し、被写体画像合成データ記憶手段５５に記憶させる。すなわち、カメラの傾斜方向が縦と認識されたときは、被写体画像データの１画面における短辺方向に沿った位置に、文字データを書き加えて、デジタルデータを書き換え、新たな１画面の被写体画像合成データを作成する。また、カメラの傾斜方向の横と認識されたときには被写体画像データの１画面における長辺方向に沿った位置に、文字データを書き加えて、デジタルデータを書き換え、新たな１画面の被写体画像合成データを作成する。このように、傾斜データに基づいて、１画面分の被写体画像データの書き換える位置が選択される。
【００１９】
さらに書き換えられた被写体画像合成データを露光ヘッドに転送しながら、相対的に移動するインスタントフィルム上に書き込みすることにより、くっきりとした「文字入り写真画像プリント」５６が、インスタントカメラから排出される。
【００２０】
本実施例では、インスタントカメラに撮像素子と傾斜センサーを備え、それらから得られた被写体画像データとカメラ傾斜方向データを記憶する手段もインスタントカメラ本体に備えていたが、撮像素子と傾斜センサーを備えていなくてもよい。例えば小型のプリンター機器に被写体画像データとカメラ傾斜方向データと文字データとを記憶する手段を備え、被写体画像合成データをこれらデータにより作成し、文字入り画像プリントを出力するようにしてもよいし、記憶回路を有する記録装置にこれらデータを記憶させ、プリンターにデータを送付することによって、文字入り画像プリントを出力させるようにしてもよい。
【００２１】
図２は、本発明の傾斜センサーの構造を示す図であり、図６で図示した傾斜センサー６４の模式図である。図２において、導体部として板状のカメラ本体に接続固定された導電平面板２２が配置される。導電平面板２２は中央部に穴部を有する８ｍｍ径の円盤状であり、５Ｖの一定電圧が印加される第一電圧部２３を有している。導電平面板２２の一方側には、可動導電体として４ｍｍ径の導電球２５が配線によってつり下げられ、この配線の導電球２５がつり下げられていない他方は導電平面板２２の穴部を通って、導電平面板２２を挟んで反対側に配置されている１０ＫΩのチップ抵抗体２４を介して、第二電圧部２１につながっている。さらに、１０ＫΩのチップ抵抗体２４に接続する前で分岐して、やはり導電平面板２２を挟んで反対側に配置されている出力部２６にもつながっている。第二電圧部２１は０Ｖの一定電圧としている。
【００２２】
導電球２５は、インスタントカメラ本体に接続固定された導電平面板２２が、水平の場合、出力部２６は０Ｖがそのまま出力される。一方、インスタントカメラの傾斜により、導電平面板２２が垂直になると、導電球２５が５Ｖの導電平面板２２に接続されるため、出力部２６からは５Ｖが出力される。この際、抵抗体２４に流れる電流は高々、０．５ｍＡであり、インスタントカメラの消電も小さく、カメラの傾斜方向の区分検知も問題なく可能であった。また、この傾斜センサーの全体構造も小型でインスタントカメラの外形拡大に無視できるレベルであった。
【００２３】
図３は、傾斜センサーの別の構造を示す図である。図３において、導体部３２は直径１２ｍｍ、幅８ｍｍの円筒状の形状とし、５Ｖの一定電圧が印加された第一電圧部３３が接続されている。円筒の内壁に接しながら移動する可動導電体３５は、０Ｖの一定電圧が印加された第二電圧部３１と、１０ＫΩの抵抗体３４を介して接続している出力部３６を備えている。
【００２４】
可動導電体３５が、導体部３２の内壁に接しない場合、可動導電体３５から引き出される出力部３６は０Ｖがそのまま出力される。一方、インスタントカメラに固定された導体部３２がインスタントカメラの傾斜により傾くと、可動導電体３５が円筒内壁の５Ｖの導電部に接続され、出力部３６からは５Ｖが出力される。この際、抵抗体３４に流れる電流は高々、０．５ｍＡであり、インスタントカメラの消電も小さく押さえることができた。
インスタントカメラの傾斜方向の区分検知も問題なく可能であった。また、傾斜センサーも小型でインスタントカメラの外形拡大に無視できるレベルであった。
【００２５】
図４は、傾斜センサーの別の機構を示す模式図である。この図において、導体部として２枚の半円板状の導電平面板４２が配置されている。これら導電平面板４２は８ｍｍの直径を持つ円板で、厚さ１ｍｍのガラエポ基板上の両面に銅薄膜とハンダメッキ膜が導電積層されており、円板の中央部が１ｍｍのスリットで２個の半円導電板に分かれている構成である。可動導体部として２枚の導電平面板の中心部に吊り下げられるように配置した導電振り子４５を備えている。２枚の導電平面板４２の一方には５Vの一定電圧が印加された第一電圧部４３が直接接続され、もう一方の導電平面板には１０ＫΩの抵抗体４４を介して、第一電圧部４３と接続されている。
【００２６】
また、左右方向に振れる導電振り子４５は出力部４６に直接接続されているとともに、１０ＫΩのチップ抵抗体４７を介して０Ｖの一定電圧が印加された第二電圧部４１に接続されている。導電振り子４５は重さ０．３ｇの銅の表面を無電界ニッケルメッキ処理されている。インスタントカメラの傾斜が無い時は、図４の＜出力部第二電圧検知＞に図示されるように、導電振り子４５はつり下がった状態のままで第二電圧部の０Ｖが出力部４６に出力される。また、インスタントカメラを９０度右廻りに傾けると、図４の＜出力部中間電圧検知＞に図示されるように、導電振り子４５と導電平面板４２との接触により、第一電圧部で印加された第一電圧と第二電圧部に印加された第二電圧の中間電圧値である２．５Ｖが出力される。また、カメラ傾斜を９０度左廻りに傾けると５Ｖが出力される。このように、抵抗体４４とチップ抵抗体４７の抵抗値によって、カメラの傾斜方向により、出力部４６からは第一電圧と第二電圧との間の何れかの電圧値が出力される。
【００２７】
この際、抵抗体４４に流れる電流は高々、０．５ｍＡであり、インスタントカメラの消電も小さく、カメラの傾斜方向の区分検知も問題なく可能であった。また、傾斜センサーも小型でインスタントカメラの外形拡大に無視できるレベルであった。
【００２８】
抵抗体に流れる電流値を種々検討した結果、１ｍＡ以下であれば、通常のカメラを駆動する電池の消費でまかなえるレベルであった。よって、抵抗値に流れる電流値は１ｍＡ以下に押さえることが好ましい。
【００２９】
なお、いずれの傾斜センサーに用いた抵抗体とチップ抵抗体は傾斜センサー本体とは別に、装置機器内の回路基板に配置しても構わない。
【００３０】
以上述べてきたように、カメラ本体を縦、横方向のいずれかに傾斜して撮影する場合において、日付などの文字が被写体に対して認識しやすい方向にプリントされ、かつ、レンズ光学系や光路長を必須とするため大型化が避けられない、いままでのインスタントカメラに比べ非常に薄型でコンパクトなインスタントカメラを得ることができた。さらに、付加文字の位置、明るさ、色を自由に変更すれば、被写体の背景に合わせて、より見やすい文字にすることも可能である。本実施例に拘らず、本発明の傾斜センサーは通常のデジタルカメラ、カメラ付き携帯電話などあらゆるカメラ機器に用いることが可能である。
【図面の簡単な説明】
【００３１】
【図１】本発明に関わる傾斜センサーを用いたカメラ機器の機能を示す模式図である。
【図２】本発明に関わる傾斜センサーの構成を示す模式図である。
【図３】本発明に関わる傾斜センサーの構成を示す別の模式図である。
【図４】本発明に関わる傾斜センサーの構成を示す別の模式図である。
【図５】本発明に関わる写真システムのフローチャートチャート図である。
【図６】本発明に関わる傾斜センサーを用いたインスタントカメラ機器の構成を示す模式図である。
【図７】本発明におけるインスタントカメラの露光ヘッドの構成を示す模式図である。
【符号の説明】
【００３２】
１１  インスタントカメラ
１２  シャッターボタン
１３  ファインダー
１４  インスタント画像
２１、３１、４１  第二電圧部
２２、４２  導電平面板
２３、３３、４３  第一電圧部
２４、３４、４４  抵抗体
２５  導電球
２６、３６、４６  出力部
３２  導体部
３５  可動導電体
４５  導電振り子
６１  カメラモジュール
６２  露光ヘッド
６３  フィルムパック
６４  傾斜センサー
７１  インスタントフィルム
７２  アクリルロッド
【図１】
2007115648.tif 000003
【図２】
2007115648.tif 000004
【図３】
2007115648.tif 000005
【図４】
2007115648.tif 000006
【図５】
2007115648.tif 000007
【図６】
2007115648.tif 000008
【図７】
2007115648.tif 000009